【手続補正書】
【提出日】平成20年9月11日(2008.9.11)
【手続補正１】
【補正対象書類名】特許請求の範囲
【補正対象項目名】請求項３
【補正方法】変更
【補正の内容】
【請求項３】
前記光ディスクの未記録領域の再生時には、前記パルス信号を無効にする第２の無効化手段をさらに備える、請求項２に記載のランドプリピットアドレス復調装置。
【手続補正２】
【補正対象書類名】明細書
【補正対象項目名】０００７
【補正方法】変更
【補正の内容】
【０００７】
トラッキングディテクタＡ、Ｂ、Ｃ、およびＤのそれぞれからは光量信号Ｔａ、Ｔｂ、Ｔｃ、およびＴｄが出力される。光量信号Ｔａと光量信号Ｔｄの和をＴＥ＋信号とし、光量信号Ｔｂと光量信号Ｔｃの和をＴＥ−信号とする。つまり、トラッキングディテクタＡおよびＤと、トラッキングディテクタＢおよびＣは、トラックに平行な分割線でわけられた２つのトラッキングディテクタＡＤとトラッキングティテクタＢＣと見なすことができる。そしてこの２つのトラッキングディテクタＡＤとトラッキングティテクタＢＣのそれぞれから出力される、ＴＥ＋信号とＴＥ−信号の差を第１のトラッキングエラー信号ＴＥとする。つまり、ＴＥ＝（ＴＥ＋）−（ＴＥ−）と表現される。
【手続補正３】
【補正対象書類名】明細書
【補正対象項目名】００１５
【補正方法】変更
【補正の内容】
【００１５】
図２０および図２１は、フォトディテクタの中心がディスク溝の中心に位置するオントラック状態での第１のトラッキングエラー信号ＴＥおよび、その二値化の様子を表している。つまり、マーク／スペースの部分の電圧レベルは、ＴＥ＋信号とＴＥ−信号において差はない。ＴＥ＋信号およびＴＥ−信号共に、マーク／スペースの電圧レベル差は大きい。よって、第１のトラッキングエラー信号ＴＥにおいては、マーク／スペースに対応するＲＦ成分Ｅｒｆがきれいに除去されて、ＬＰＰ成分Ｅｌｐｐが顕著に認められる。この場合、ウォブル成分Ｅｗｂｌより突出しているＬＰＰ成分Ｅｌｐｐの高さを、オントラックＬＰＰ高Ｈａと呼ぶ。
【手続補正４】
【補正対象書類名】明細書
【補正対象項目名】００１７
【補正方法】変更
【補正の内容】
【００１７】
この場合のウォブル成分Ｅｗｂｌのピークより突出しているＬＰＰ成分Ｅｌｐｐの高さは、オントラックＬＰＰ高Ｈａより、ＲＦ残留成分Ｒｒｐの分だけ小さくなる。この場合のＬＰＰ成分の高さを非オントラックＬＰＰ高Ｈｂとする。つまり、Ｈａ＞Ｈｂが成立する。このため、図２１に示したように、オントラック時と同様に二値化レベルを定めても、ＬＰＰ二値化信号ＢｌｐｐあるいはＷＢＬ二値化信号Ｂｗを正しく検出できない。よって、上述の従来の光ディスク記録再生装置においては、ＲＦ成分Ｅｒｆの振幅が等しくなる様にゲイン調整を行い、ＬＰＰの検出率を高めている。
【特許文献１】特開２００２−２１６３６３号公報
【手続補正５】
【補正対象書類名】明細書
【補正対象項目名】００１８
【補正方法】変更
【補正の内容】
【００１８】
しかし、高速記録時では、記録用レーザの単位面積当たりの照射パワーが小さくなる。つまり、高速記録時には、ディスク上の放熱性が良くなるために、低速記録時に生成されるのと同様のマークを形成するには、レーザの照射パワーを大きくする必要がある。一般的には、記録速度が２倍になると、レーザの照射パワーは１．４１倍にする必要があることが知られている。一方、スペースの領域形成は、レーザパワーの変化に対するディスク膜質の変化量が小さいために、高速記録時においてもレーザパワーを増大させる必要がないことも知られている。
【手続補正６】
【補正対象書類名】明細書
【補正対象項目名】００１９
【補正方法】変更
【補正の内容】
【００１９】
このように、標準の記録速度に対して数倍の速さで記録する、一般に倍速記録と言われる高速記録時には、マークを形成するためにレーザパワーを増大させる。結果、ＴＥ＋信号およびＴＥ−信号におけるマーク部からの反射光成分の振幅は大きくなるが、スペース部からの反射光成分の振幅は相対的に小さくなる。このマーク部とスペース部の反射光成分の振幅の変化を相殺するには、回路のダイナミックレンジを考慮して、低速時の振幅と同じレベルぐらいまでゲインを下げる必要がある。
【手続補正７】
【補正対象書類名】明細書
【補正対象項目名】００２０
【補正方法】変更
【補正の内容】
【００２０】
結果、図２３に示すように、減算後の第１のトラッキングエラー信号ＴＥにおけるスペース成分に重なるＬＰＰ成分の振幅Ｅｌｐｐ（スペース）も小さくなる。その際、ＲＦ残留成分Ｒｒｐの振幅は変わらないのでスペース成分に重なるＬＰＰ成分Ｅｌｐｐ（スペース）は、埋もれてしまい、検出が困難である。よって、ランドプリピットアドレス復調装置ＤＭｃにおいて、比較器５ｃから出力されるＬＰＰ二値化信号Ｂｌｐｐは、スペース
に対応するＬＰＰ二値化信号Ｂｌｐｐ（ｓ）は殆ど含まれずに、マークに対応するＬＰＰ二値化信号Ｂｌｐｐ（ｍ）のみと言っても過言ではない。
【手続補正８】
【補正対象書類名】明細書
【補正対象項目名】００４６
【補正方法】変更
【補正の内容】
【００４６】
（第７の実施形態）
図７に示すように、本実施形態に係るランドプリピットアドレス復調装置ＤＭ７は、図６に示したランドプリピットアドレス復調装置ＤＭ６において、第１の比較器５の第２の基準電位Ｖｒｅｆ２が、ピークホールド器１７およびオフセット付加器１８に交換されている。ピークホールド器１７は、可変ゲインアンプ１３からの出力される第４のミュートトラッキングエラー信号ＴＥｄ’をピークホールドして第６のミュートトラッキングエラー信号ＴＥｆとして出力する。オフセット付加器１８は、第６のミュートトラッキングエラー信号ＴＥｆに所定のオフセットを付加して、第７のミュートトラッキングエラー信号ＴＥｇとして出力する。つまり、ウォブル信号をピーク検波したレベルを基準にスライスすることにより、ウォブル信号自身をスライスして誤検出することが無くなる。結果、ＬＰＰ二値化信号Ｂｌｐｐ（ｓ）をより精度高く検出できる。
【手続補正９】
【補正対象書類名】明細書
【補正対象項目名】００４８
【補正方法】変更
【補正の内容】
【００４８】
（第８の実施形態）
図８に示すように、本実施形態に係るランドプリピットアドレス復調装置ＤＭ８は、図７に示したランドプリピットアドレス復調装置ＤＭ７において、オフセット付加回路１８
が可変オフセット付加器１９に交換されている。可変オフセット付加器１９は、ピークホールド器１７からされる第６のミュートトラッキングエラー信号ＴＥｆに倍速度記録時のＬｐｐ振幅の電圧レベル差を付加して第８のミュートトラッキングエラー信号ＴＥｈとして出力する。ランドプリピットアドレス復調装置ＤＭ８は、異なる倍速度毎のＬｐｐ振幅の電圧レベル差が可変オフセット付加回路１９の処理にて吸収可能な範囲にある場合に、顕著な効果を奏する。
【手続補正１０】
【補正対象書類名】明細書
【補正対象項目名】００５０
【補正方法】変更
【補正の内容】
【００５０】
第２の比較器５ｃは、図１７に示した従来のランドプリピットアドレス復調装置ＤＭｃの構成要素である比較器５ｃであり、ランドプリピットアドレス復調装置ＤＭ９においても、第１の入力端子Ｔｉ１、第２の入力端子Ｔｉ２、減算器１、および加算器１４とで、実質的にランドプリピットアドレス復調装置ＤＭｃと等価なランドプリピットアドレス復調装置を構成している。そして、ランドプリピットアドレス復調装置ＤＭｃでは、ＬＰＰ二値化信号Ｂｌｐｐ（ｓ）の検出は困難であったが、ＬＰＰ二値化信号Ｂｌｐｐ（ｍ）の検出が行える。
【手続補正１１】
【補正対象書類名】明細書
【補正対象項目名】００５５
【補正方法】変更
【補正の内容】
【００５５】
次に、図１０の第１段目に、減算器１からの出力される第１のトラッキングエラー信号ＴＥの波形を示す。ＴＥ＋信号とＴＥ−信号との減算の結果、第１のトラッキングエラー信号ＴＥにおいては、マークのＬＰＰ成分Ｅｌｐｐ（ｍ）はＲＦ成分Ｅｒｆから大きく突
出しているが、スペースのＬＰＰ成分Ｅｌｐｐ（ｓ）はＲＦ成分Ｅｒｆに埋もれている。
【手続補正１２】
【補正対象書類名】明細書
【補正対象項目名】００５７
【補正方法】変更
【補正の内容】
【００５７】
図１０の第３段目に、第１の切替器３から出力される第１のミュートトラッキングエラー信号ＴＥａ’の波形を示す。第３のスイッチ制御信号Ｓｗ３のハイレベルに同期して、第１のミュートトラッキングエラー信号ＴＥａ’のレベルが一定値（第１の基準電位Ｖｒｅｆ１）に置き換えられているのが見て取れる。
【手続補正１３】
【補正対象書類名】明細書
【補正対象項目名】００５８
【補正方法】変更
【補正の内容】
【００５８】
図１０の第４段目に、可変ゲインアンプ１３から出力される第５のミュートトラッキングエラー信号ＴＥｅ’の波形を示す。第１の切替器３から出力されたトラッキングエラー信号ＴＥａ’に比べて、ローパスフィルタ１１によって高周波成分が除去されると共に、さらに可変ゲインアンプ１３によって振幅が増大されているのが見て取れる。
【手続補正１４】
【補正対象書類名】明細書
【補正対象項目名】００５９
【補正方法】変更
【補正の内容】
【００５９】
図１１の第２段目に、第２の比較器５ｃに入力される第２のトラッキングエラー信号ＴＥ’と基準電位Ｖｒｅｆ２の波形が示されている。第２のトラッキングエラー信号ＴＥ’は、ローパスフィルタ１１から出力された第４のミュートトラッキングエラー信号ＴＥｄ’のＤＣ成分が調整された後、第１のトラッキングエラー信号ＴＥに加算されているので、第１のトラッキングエラー信号ＴＥに比べてペデスタルレベルが上がると共に、高周波成分が除去されている。なお、基準電位Ｖｒｅｆ２は、一定値に設定されている。
【手続補正１５】
【補正対象書類名】明細書
【補正対象項目名】００６０
【補正方法】変更
【補正の内容】
【００６０】
図１１の第３段目に、可変ゲインアンプ１３から出力されるトラッキングエラー信号ＴＥｅ’および、ピークホールド器１７および可変オフセット付加器１９を介して出力されるトラッキングエラー信号ＴＥｈの波形が示されている。トラッキングエラー信号ＴＥｅ’は、トラッキングエラー信号ＴＥｄ’に比べて増幅されている。
【手続補正１６】
【補正対象書類名】明細書
【補正対象項目名】００６２
【補正方法】変更
【補正の内容】
【００６２】
図１１の第５段目に、ＯＲ回路２３の出力であるＬＰＰ二値化信号Ｂｐが示されている。第１の比較器５と第２の比較器５ｃの出力のＯＲ演算を行うことで、ＬＰＰ二値化信号Ｂｌｐｐ（ｍ）と、従来のランドプリピットアドレス復調装置ＤＭおよび本発明の第１〜第８の実施形態のランドプリピットアドレス復調装置では検出できないＬＰＰ二値化信号Ｂｌｐｐ（ｓ）との両方が検出できている。
【手続補正１７】
【補正対象書類名】明細書
【補正対象項目名】００６７
【補正方法】変更
【補正の内容】
【００６７】
ＤＣ成分調整器１５は、ローパスフィルタ１１から出力される第４のミュートトラッキングエラー信号ＴＥｄ’のＤＣ成分であるＥｄｃを加算器１４に戻す。加算器１４とＤＣ成分調整器１５は、スイッチノイズが取り除かれた第４のミュートトラッキングエラー信号ＴＥｄ’のＤＣ成分Ｅｄｃを、ＲＦ残留成分を除去する第１の切替器３の上流にフィードバックしている。
【手続補正１８】
【補正対象書類名】明細書
【補正対象項目名】００６９
【補正方法】変更
【補正の内容】
【００６９】
ピークホールド器１７は、可変ゲインアンプ１３から出力される第５のミュートトラッキングエラー信号ＴＥｅ’をピークホールドして第６のミュートトラッキングエラー信号ＴＥｆを出力する。可変オフセット付加回路１９は、第６のミュートトラッキングエラー信号ＴＥｆに所定のオフセットを付加して、第８のトラッキングエラー信号ＴＥｈを出力する。つまり、ウォブル信号をピーク検波したレベルを基準にスライスすることにより、ウォブル信号自身をスライスして誤検出することが無くなる。そのため、倍速記録によって、ウォブル信号の振幅が変化する場合にも、ＬＰＰ二値化信号Ｂｌｐｐ（ｓ）を正しく検出ができると共に、倍速度に応じたドループ電流設定をもつことにより高倍速度にも対応している。
【手続補正１９】
【補正対象書類名】明細書
【補正対象項目名】００７０
【補正方法】変更
【補正の内容】
【００７０】
第２の比較器５ｃは、加算器１４から入力される第２のトラッキングエラー信号ＴＥ’に対して、ＬＰＰ二値化レベルＬｌとして基準電位Ｖｒｅｆ２を用いて二値化して、マーク部のＬＰＰ二値化信号Ｂｌｐｐ（ｍ）を生成する。
【手続補正２０】
【補正対象書類名】明細書
【補正対象項目名】００７２
【補正方法】変更
【補正の内容】
【００７２】
（第１１の実施形態）
本実施形態に係るランドプリピットアドレス復調装置について、具体的に述べる前に、先ず、その目的および解決方法の基本的概念について述べる。上述の各実施形態にかかる
ランドプリピットアドレス復調装置においては、記録中であれば、第１の切替器３は、ＲＦ信号を元に生成される全和信号ＡＳが入力されて、正常に動作する。しかしながら、再生中特に未記録再生タイミングを示している時は、ＲＦ信号が無くなるので、当然、ＲＦ信号を元に生成される全和信号ＡＳも無くなる。そのため、第１の切替器３の動作が不安定になる。
【手続補正２１】
【補正対象書類名】明細書
【補正対象項目名】００７３
【補正方法】変更
【補正の内容】
【００７３】
また、全和信号ＡＳにノイズが乗った場合には、予期せぬ間隔で第１の切替器３が第１の基準電位Ｖｒｅｆ１や第２のトラッキングエラー信号ＴＥ’を選択して、期待とは違った誤信号が第１のミュートトラッキングエラー信号ＴＥａ’として出力される。この誤信号（第１のミュートトラッキングエラー信号ＴＥａ’）に基づいて、ＬＰＰ二値化信号Ｂｌｐｐ（ｓ）が生成されるために、ＬＰＰも誤って検出されてしまうという問題がある。本実施形態においては、全和信号ＡＳが生成、或いは正常に生成されない未記録再生中においても、ＬＰＰを正しく検出できるランドプリピットアドレス復調装置を提供することを目的としている。
【手続補正２２】
【補正対象書類名】明細書
【補正対象項目名】００７４
【補正方法】変更
【補正の内容】
【００７４】
そのために、図１３に示すように、本実施形態に係るランドプリピットアドレス復調装置ＤＭ１１は、図１２に示したランドプリピットアドレス復調装置ＤＭ１０において、第４の入力端子Ｔｉ４および第２の切替器２４が追加されて構成されている。第４の入力端子Ｔｉ４には、光ディスク記録再生装置において、光ディスクに記録中はハイレベルになり、光ディスクから再生中はローレベルになる状態信号ＷＴＧＴが入力される。
【手続補正２３】
【補正対象書類名】明細書
【補正対象項目名】００７７
【補正方法】変更
【補正の内容】
【００７７】
上述のように、本実施形態に係るランドプリピットアドレス復調装置ＤＭ１１においては、記録中或いは再生中を表す状態信号ＷＴＧＴに基づいて、ＬＰＰ二値化信号Ｂｌｐｐ（ｓ）とローレベル信号が切り替えられる。この意味において、状態信号ＷＴＧＴを第４のスイッチ制御信号Ｓｗ４と呼ぶ。
【手続補正２４】
【補正対象書類名】明細書
【補正対象項目名】００７８
【補正方法】変更
【補正の内容】
【００７８】
（第１２の実施形態）
本実施形態に係るランドプリピットアドレス復調装置について、具体的に述べる前に、先ず、その目的および解決方法の基本的概念について述べる。上述のランドプリピットアドレス復調装置ＤＭ１１においては、記録中は、ＤＣ成分調整器１５が有効に動作するためＴＥ＋信号やＴＥ−信号にＤＣオフセットがある信号が入力された場合でも問題はないが、未記録領域の再生時は、第１の切替器３のスイッチ制御信号にどのような信号が入っ
てくるかは予想がつかない。そのために、第１の切替器３で、第１の基準電位Ｖｒｅｆ１が選択され続けた場合には、ＤＣフィードバックが正しく動作しないと言う問題がある。本実施形態においては、再生タイミング中には、第１の切替器３の出力には第２のトラッキングエラー信号ＴＥ’を選択することによって、ＤＣフィードバックが正しく動作するようにする。
【手続補正２５】
【補正対象書類名】図面
【補正対象項目名】図９
【補正方法】変更
【補正の内容】
【図９】
2006228392.tif 000001
【手続補正２６】
【補正対象書類名】図面
【補正対象項目名】図１１
【補正方法】変更
【補正の内容】
【図１１】
2006228392.tif 000002
【手続補正２７】
【補正対象書類名】図面
【補正対象項目名】図１２
【補正方法】変更
【補正の内容】
【図１２】
2006228392.tif 000003
【手続補正２８】
【補正対象書類名】図面
【補正対象項目名】図１３
【補正方法】変更
【補正の内容】
【図１３】
2006228392.tif 000004
【手続補正２９】
【補正対象書類名】図面
【補正対象項目名】図１４
【補正方法】変更
【補正の内容】
【図１４】
2006228392.tif 000005
【手続補正３０】
【補正対象書類名】図面
【補正対象項目名】図１５
【補正方法】変更
【補正の内容】
【図１５】
2006228392.tif 000006
【手続補正３１】
【補正対象書類名】図面
【補正対象項目名】図１６
【補正方法】変更
【補正の内容】
【図１６】
2006228392.tif 000007